(57)【要約】      （修正有）【課題】既成のタイマー装置にメモリの増量をすることなく、複数のアラーム音を発するタイマー装置を安価に提供する。【解決手段】タイマー装置は、複数のアラームパターンをアラームＩＤと対応させて記憶するアラーム記憶手段と、タイマー時刻及び前記アラームＩＤを設定可能な設定手段と、設定された前記タイマー時刻及び前記アラームＩＤを記憶するタイマー記憶手段と、前記タイマー時刻に、前記アラームＩＤに対応する前記アラームパターンに基づきアラーム音を発生させる制御手段とを備え、前記アラームパターンは、時間長が異なる２種類以上の信号を組み合わせて形成されており、前記制御手段は、ビープ音によりアラーム音を発生させる。また、そのアラーム音から、タイマー装置を識別可能とする。【選択図】図１
0003153811.tif 000002
【実用新案登録請求の範囲】
【請求項１】
複数のアラームパターンをアラームＩＤと対応させて記憶するアラーム記憶手段と、
タイマー時刻及び前記アラームＩＤを設定可能な設定手段と、
設定された前記タイマー時刻及び前記アラームＩＤを記憶するタイマー記憶手段と、
前記タイマー時刻に、前記アラームＩＤに対応する前記アラームパターンに基づきアラーム音を発生させる制御手段とを備え、
前記アラームパターンは、時間長が異なる２種類以上の信号を組み合わせて形成されており、
前記制御手段は、ビープ音によりアラーム音を発生させるタイマー装置。
【考案の詳細な説明】
【技術分野】
【０００１】
本考案は、複数のアラーム音を発するタイマー装置に関する。
【背景技術】
【０００２】
生活のいたる場面において、時間の経過を知らせるタイマー装置や目覚まし時計など、アラーム音を発する時刻告知装置が使用されている。また、作業の終了を知らせる洗濯機や炊飯器など、アラーム機能を持つ機器も多く使用されている。
【０００３】
近年では、アラーム音を変更したいというユーザの要望から、複数のアラーム音が記憶された、時刻やプログラム・作業終了の告知装置が使用されている。しかし、これらの装置に複数のアラーム音を記憶させると、メモリ容量が大きくなり、そのためコストが高くなる問題があった。そこで、特許文献１では、２種類以上の音色と２種類以上のリズムの組み合わせからアラーム音を作成し、メモリ容量を少なくさせた時刻告知装置が開示されている。
【先行技術文献】
【特許文献】
【０００４】
【特許文献１】特開２０００−２５８５７１号公報
【考案の概要】
【考案が解決しようとする課題】
【０００５】
世の中に多く流通しているタイマー装置は、どれも似通ったビープ音をアラーム音として発する。したがって、複数のタイマー装置が使われている場合に、どのタイマー装置がアラーム音を発しているのかすぐに判断できないという問題がある。
【０００６】
また、特許文献１の時刻告知装置では、２種類以上の音色と２種類以上のリズムを記憶させているため、少なくとも２種類の音色と２種類のリズムに相当するメモリ容量は必要とする。
【０００７】
そこで本考案は、既成のタイマー装置にメモリの増量をすることなく、複数のアラーム音を発するタイマー装置を安価に提供することを目的とする。また、そのアラーム音から、タイマー装置を識別可能とする。
【課題を解決するための手段】
【０００８】
本考案の前記目的は、複数のアラームパターンをアラームＩＤと対応させて記憶するアラーム記憶手段と、タイマー時刻及び前記アラームＩＤを設定可能な設定手段と、設定された前記タイマー時刻及び前記アラームＩＤを記憶するタイマー記憶手段と、前記タイマー時刻に、前記アラームＩＤに対応する前記アラームパターンに基づきアラーム音を発生させる制御手段とを備え、前記アラームパターンは、時間長が異なる２種類以上の信号を組み合わせて形成されており、前記制御手段は、ビープ音によりアラーム音を発生させるタイマー装置によって達成される。
【考案の効果】
【０００９】
本考案のタイマー装置は、複数のアラームパターンに基づきビープ音を鳴らし、複数のアラーム音を発することができる。
【００１０】
また、本考案のタイマー装置によれば、他のビープ音を発するタイマー装置が使用されていても、そのビープ音とは異なるアラーム音を適宜選択することができる。
【００１１】
本考案のタイマー装置を複数個同時使用した場合でも、タイマー装置のそれぞれに固有のアラーム音を設定しておけば、発せられたアラーム音のパターンから、タイマー装置を識別することができる。
【００１２】
また、本考案のタイマー装置によれば、記憶させているアラームパターンは、時間長が異なる信号の組み合わせからなる。したがって、記憶させるメモリ容量は少なくてすむ。
【００１３】
また、本考案のタイマー装置によれば、市販のタイマー装置に新たな部品を追加することなく、内部ソフトウエアを変更することで実現でき、コストメリットが大きい。
【考案を実施するための形態】
【００１４】
以下、本考案に係るタイマー装置の実施の形態について、図面を参照しながら説明する。
本考案のタイマー装置における機能の構成は、図１のブロック図によって示される。図１に示すように、スタート／ストップ部１と、タイムセット部２と、制御部３と、アラーム記憶部４と、タイマー記憶部５と、タイマー部６と、アラーム部７と、表示部８とから構成される。
【００１５】
スタート／ストップ部１又はタイムセット部２を押すことにより、制御部３にタイマー装置作動などの指令を通知する。スタート／ストップ部１を押すと、タイマー装置が作動する。また、スタート／ストップ部１を長押しすると、アラーム音のアラームパターンが設定できる。タイムセット部２を押すと、アラーム音を発するタイマー時刻が設定できる。
制御部３は、通知された指令から、タイマー装置の各部に指令を通知する。
【００１６】
アラーム記憶部４は、時間長が異なる２種類以上の信号を組み合わせて形成された複数のアラームパターンが記憶されており、アラームパターンのそれぞれに固有のアラームＩＤが割り当てられている。
タイマー記憶部５では、設定された、アラームパターンに対応するアラームＩＤ及びタイマー時刻を記憶させることができる。
【００１７】
タイマー部６は、タイマー記憶部５で記憶されたタイマー時刻から、時刻をカウントダウンする機能を有する。アラーム部７は、増幅器とスピーカを備え、アラーム音を発する。表示部８は、液晶表示装置による表示手段を備え、タイマー時刻や残り時刻などを表示する。
【００１８】
次に、各部の処理の流れを説明する。スタート／ストップ部１を押すと、制御部３に指令が通知され、制御部３は、タイマー部６に時刻のカウントダウンを始め又は止めさせる指令を通知する。
【００１９】
スタート／ストップ部１を長押しすると、制御部３に指令が通知され、アラーム記憶部４に記憶された複数のアラームパターンから、アラーム音のアラームパターンが設定できる。そして、タイマー記憶部５に、設定されたアラームパターンに対応するアラームＩＤを記憶させることができる。
タイムセット部２を押すと、制御部３に指令が通知され、タイマー時刻の設定ができる。そして、タイマー記憶部５に、設定されたタイマー時刻を記憶させることができる。
【００２０】
タイマー作動時において、タイマー部６で時刻がカウントダウンされ、残り時刻が０になると、タイマー部６から制御部３に指令が通知される。そして、制御部３は、タイマー記憶部５から記憶されたアラームＩＤを読み出す。そして、制御部３は、そのアラームＩＤに対応するアラームパターンをアラーム記憶部４から読み出し、そのアラームパターンに基づいてビープ音を鳴らせ、アラーム音をアラーム部７より発する。
【００２１】
本考案のタイマー装置における使用方法について、図２を参照して説明する。図２に示すように、タイマー装置は、タイマー本体９、スタート／ストップ部１、タイムセット部２、表示部８とから構成される。
表示部８には、タイマー停止時には、設定されたタイマー時刻が表示される。タイマー作動持には、アラーム音発生までの残り時刻が表示される。また、アラームパターン設定持には、アラームＩＤが表示される。
【００２２】
本考案のタイマー装置の作動方法について説明する。タイマー停止時に、スタート／ストップ部１を押すと、タイマー装置が作動し、設定したアラーム音が発せられ、設定されたタイマー時刻からのカウントダウンが始まる。表示部８には、残り時刻が表示される。タイマー作動時に、スタート／ストップ部１を押すと、カウントダウンが一時停止する。タイマー一時停止持に、スタート／ストップ部１を押すと、再びカウントダウンが始まる。
また、タイマー一時停止時に、タイムセット部２を押すと、残り時刻がリセットされ、表示部８の表示は、もとのタイマー時刻に戻る。
【００２３】
タイマー作動時において、残り時刻が０に達すると、設定されたアラーム音が発せられる。このときの表示部８は、残り時刻０の表示のままである。そして、スタート／ストップ部１を押すと、アラーム音が止まる。スタート／ストップ部１を押さずにいると、アラーム音は、１０回繰り返し発せられ、自動で止まる。アラーム音が止まると、表示部８の表示は、もとの設定したタイマー時刻に戻る。
【００２４】
次に、タイマー時刻及びアラームＩＤの設定方法について説明する。タイマー停止時に、タイムセット部２を押していくと、表示部８に表示されるタイマー時刻が大きくなっていき、目的とするタイマー時刻を設定することができる。スタート／ストップ部１及びタイムセット部２を同時に押すと、表示部８の表示は０になり、設定したタイマー時刻をリセットすることができる。
【００２５】
タイマー停止時に、スタート／ストップ部１を３秒間長押しすると、表示部８に、設定されたアラームＩＤが表示され、アラームＩＤを設定することができる。スタート／ストップ部１を長押し続けると、アラームＩＤが順次変わっていく。そして、スタート／ストップ部１を離すと、離したときのアラームＩＤの内容で設定がされる。アラームＩＤが設定されると、アラーム音が１回鳴り、アラーム音の内容を確認することができる。
【００２６】
本考案のタイマー装置に記憶される複数のアラームパターンについて説明する。例えば、短音と長音からなる２種類の信号の組み合わせをアラームパターンとし、短音を・、長音を−で表すと、アラームパターンは、・や・−のように表される。また、表１のように、アラームＩＤと対応するように、アラームパターンを記憶させておくこともできる。
【００２７】
【表１】
0003153811.tif 000003
【００２８】
例えば、設定したアラームＩＤを３とすると、設定したアラーム時刻に、アラームパターン・・・に基づいてビープ音が鳴り、アラーム音が発せられる。
【００２９】
アラームパターンは、メモリ容量が許す限り記憶させておくことができる。また、短音、長音だけでなく、２種類以上の異なる長さの信号を組み合わせてもよい。また、アラームパターンは、時間長の異なる信号だけでなく、音の高低の異なる信号を組み合わせてもよい。
【００３０】
本考案のタイマー装置の使用例について説明する。本考案のタイマー装置とは別のタイマー装置があった場合でもアラーム音で明確に区別できるように、本考案のタイマー装置のアラーム音を適宜変更し、設定することができる。
【００３１】
また、他の使用例として、本考案のタイマー装置を複数個準備し、別々のアラーム音を設定しておく。例えば、多くの実験装置を扱う実験室において、レイアウト順に、乾燥機(1)＝アラーム音１、乾燥機(2)＝アラーム音２、滅菌器＝アラーム音３、とタイマー装置を配置するとタイマー終了時に即座に判断が可能となる。また、複数人が同室内で使用する事例では、各人が自分の設定したタイマー装置が鳴っていることを即座に判断することができる。
【００３２】
また、本考案のタイマー装置は、複数のタイマー時刻をアラーム音と対応させて設定できるように構成させてもよい。この場合、タイマー装置を作動させ、設定したタイマー時刻の経過ごとに、それぞれ異なるアラーム音を鳴らすことができる。そして、タイマー設定１、２、３、とアラーム音１、２、３を連動させておけば、アラーム音からどのタイマー設定が終了したのかが即座に判断できる。例えば、パンの製造では発酵→焼き→冷却などいくつかの工程でタイマー設定が必要であり、各工程の終了時に３（アラームパターン＝・・・），２（アラームパターン＝・・），１（アラームパターン＝・）のような残りの工程をあらわすアラーム音をそれぞれ設定しておけば、アラーム音から残りの工程が判別可能となる。
【００３３】
また、本考案はタイマー装置に関するものであるが、洗濯機、炊飯器、乾燥機などアラーム機能を有する機器に、本考案のタイマー装置を組み込んでもよい。この場合、アラーム機能を有する機器ごとにアラーム音を変更することができる。
【図面の簡単な説明】
【００３４】
【図１】本考案に係るタイマー装置の機能の構成を示すブロック図である。
【図２】本考案に係るタイマー装置を示す正面図である。
【符号の説明】
【００３５】
１  スタート／ストップ部
２  タイムセット部
３  制御部
４  アラーム記憶部
５  タイマー記憶部
６  タイマー部
７  アラーム部
８  表示部
９  タイマー本体
【図１】
0003153811.tif 000004
【図２】
0003153811.tif 000005